(57)【特許請求の範囲】
【請求項１】
シリンジとの利用に適する単一片の注射針アセンブリであって、ハウジングに旋回自在に連結されるベースを備え、前記ハウジングは、後壁で相互に接続される２つの側壁と、前記２つの側壁の間で前記後壁から突き出て、前記ハウジングが前記ベースに向かって旋回して前記ベースから縦方向に突き出る注射針を覆うと、前記ベースから延びる他方の係止機構に接触する一方の係止機構とを有し、前記係止機構は、相互に固く連結されて、前記注射針が前記ハウジングで覆われると前記ハウジングおよび前記ベースの相互の離隔を防止することを特徴とする注射針アセンブリ。
【請求項２】
請求項１に記載の注射針アセンブリにおいて、前記係止機構の一方は１対の指状突起を備え、前記係止機構の他方は、前記指状突起の間に移動して前記指状突起に保持される突起を備え、前記突起は、前記ベースの先端部に沿って縦方向に形成されることを特徴とする注射針アセンブリ。
【請求項３】
請求項１に記載の注射針アセンブリにおいて、前記後壁から突き出て、前記縦軸に沿って前記ハウジングが移動して前記注射針を覆うと、前記注射針を取り外し不能につかむフックをさらに備え、当該フックは、前記係止機構同士が連結されると実質的に同時に前記注射針をつかむことを特徴とする注射針アセンブリ。
【請求項４】
請求項１に記載の注射針アセンブリにおいて、前記ベース、前記ハウジングおよび前記係止機構は単一ユニットとして一体的に形成され、前記単一ユニットは、前記注射針の径に対応する予め決められた色に色分けされることを特徴とする注射針アセンブリ。
【請求項５】
請求項１に記載の注射針アセンブリにおいて、前記側壁は、前記注射針が前記ハウジングで覆われると、前記係止機構への接触を規制するように構成されることを特徴とする注射針アセンブリ。
【請求項６】
請求項１に記載の注射針アセンブリにおいて、前記係止機構の一方はフックを備え、前記係止機構の他方は、前記ベースに形成されるリブを備え、当該リブは、前記ハウジングおよび前記ベースが相互に向かって旋回する際に前記フックが係り合う開口を有することを特徴とする注射針アセンブリ。
【請求項７】
請求項６に記載の注射針アセンブリにおいて、前記後壁から突き出て、前記ハウジングおよび前記ベースが相互に移動して前記注射針を覆うと、前記注射針を取り外し不能につかむ他方のフックをさらに備え、当該他方のフックは、前記フックが前記リブの前記開口を介して前記リブに係り合うと実質的に同時に前記注射針をつかむことを特徴とする注射針アセンブリ。
【請求項８】
基端でシリンジに噛み合い自在で先端に注射針を受け入れるベースと、前記ベースに旋回自在に連結されて、前記ハウジングが前記ベースに向かって旋回して前記注射針を覆う際に、前記注射針を通過させるスロットを形成する後壁および２つの側壁を有するハウジングと、前記２つの側壁の間で前記後壁から突き出る一方の係止機構とを備え、前記一方の係止機構は他方の係止機構と協働し、前記他方の係止機構は、前記ハウジングが旋回して前記注射針を覆うと相互に解除不能に前記一方および他方の係止機構を連結させる位置で前記ベースから突き出ることを特徴とする安全装置。
【請求項９】
請求項８に記載の安全装置において、前記各側壁は、前記係止機構が前記ハウジングおよび前記ベースを相互に連結すると、前記係止機構への接触を規制する基端拡張部を有するように設計されることを特徴とする安全装置。
【請求項１０】
請求項８に記載の安全装置において、前記ハウジングおよび前記ベースは単一ユニットとして成型され、前記ハウジングおよび前記ベースは、前記注射針の径を示す予め決められた色に色分けされることを特徴とする安全装置。
【請求項１１】
請求項８に記載の安全装置において、前記係止機構の一方は１対の指状突起を備え、前記他方の係止機構は、前記指状突起の間に移動して前記指状突起に固く保持される突起を備え、前記突起は、前記ベースの先端部に沿って縦方向に形成されることを特徴とする安全装置。
【請求項１２】
請求項８に記載の安全装置において、前記係止機構の一方は、前記側壁から延びるフックを備え、前記ハウジングが移動して前記注射針を覆うと、フックは取り外し不能に前記注射針をつかみ、前記フックは、前記係止機構の前記部分が連結されると実質的に同時に前記注射針をつかむことを特徴とする安全装置。
【請求項１３】
請求項８に記載の安全装置において、前記係止機構の一方は１つのフックを備え、前記係止機構の他方は、前記ベースに形成されるリブを備え、前記リブは、前記ハウジングおよび前記ベースが相互に向かって旋回すると、前記フックが係り合う開口を有することを特徴とする安全装置。
【請求項１４】
請求項１３に記載の安全装置において、前記後壁から突き出て、前記ハウジングおよび前記ベースが相互に移動して前記注射針を覆うと、取り外し不能に前記注射針をつかむ他方のフックをさらに備え、当該他方のフックは、前記フックが前記リブの前記開口を介して前記リブに係り合うと実質的に同時に前記注射針をつかむことを特徴とする安全装置。
【発明の詳細な説明】
【技術分野】
【０００１】
本発明は、注射針保護装置に関し、特に、シリンジとの利用に適し、注射針アセンブリのベースおよびハウジングに形成されて、注射針アセンブリの注射針がハウジングのフック機構で固く固定されると同時に、協働に基づき注射針アセンブリのベースおよびハウジングの固定関係で取り外し不能に保持する機構を備える注射針アセンブリに関する。
【背景技術】
【０００２】
ベースに対して旋回するハウジングを利用する注射針保護装置は、本願の譲受人に譲渡された多くの米国特許に例示される。米国特許には、数ある中で、米国特許第４９８２８４２号、米国特許第５１３９４８９号、米国特許第５１５４２８５号、米国特許第５２３２４５４号、米国特許第５２３２４５５号、米国特許第５２７７３１１号および米国特許第５４２３７６５号が含まれる。注射針のベースにハウジングを固定する本発明の譲受人に譲渡された他の特許も存在する。米国特許ＲＥ３７１１０号、米国特許ＲＥ３７２５２号および米国特許第６３２８７１３号には、ハウジングの開口にベースの錨を結合する技術が開示される。
【先行技術文献】
【特許文献】
【０００３】
【特許文献１】米国特許第４９８２８４２号明細書
【特許文献２】米国特許第５１３９４８９号明細書
【特許文献３】米国特許第５１５４２８５号明細書
【特許文献４】米国特許第５２３２４５４号明細書
【特許文献５】米国特許第５２３２４５５号明細書
【特許文献６】米国特許第５２７７３１１号明細書
【特許文献７】米国特許第５４２３７６５号明細書
【特許文献８】米国再発行特許発明第３７１１０号明細書
【特許文献９】米国再発行特許発明第３７２５２号明細書
【特許文献１０】米国特許第６３２８７１３号明細書
【発明の概要】
【発明が解決しようとする課題】
【０００４】
可能ではあるが、これらの実施形態は、開口が高い精度で形成されなければならないのに加えて、錨には所定の長さが必要とされる。さらに、柔軟性を得るために、開口を区画するハウジングの部分は十分に薄く形成されなければならない。この場合、その柔軟性により、錨が開口に最初に突き刺されてその後に開口に固定されることを可能にする。さらに、ハウジングに錨が突き刺される際に、ハウジングが汚染した針に被さる過程で、汚染した血が錨にはねると、注射針からの汚染した液体が、錨を突き出すハウジングの背面に露出してしまう可能性がある。さらに、前述の米国特許第４９８２８４２号に開示されるように、錨およびハウジングの開口の間で確立される接触は、ハウジング内のフックによる注射針の保持と相容れないので、錨に基づきかつハウジングの内側にフック機構を備えたこのような注射針保護装置を実施することは難しい。
【課題を解決するための手段】
【０００５】
本発明に係る安全注射針装置はロック機構を有する。ロック機構は、ハウジングの後面から突き出る一部と、ベースから突き出る他部とを備える。ハウジングが、ベースに向かって旋回してベースから突き出る注射針を覆うと、係止機構の部分同士が連結されてハウジングおよびベースを相互に固く保持する。係止機構の一部は、係止機構の他部を通す開口を塞ぐ２つの指状突起を備えるように設計される。係止機構の他部は、細長い錨すなわち突起の形状を有し、指状突起にぱちっとはまり、指状突起で保持される。係止機構の２つの部分は、ハウジングの内側のフックで注射針がつかまれて保持されると実質的に同時に噛み合って連結される。この構成によれば、ベースに対するハウジングの単一の旋回移動により、ハウジングのフックが注射針を固く保持することができ、同時にハウジングおよびベースが互いを固く保持することができる。ハウジングの側壁から突き出る２つのフラップは、係止機構の部分が相互に連結されると、係止機構の部分へのさらなる接触を規制する。各部分が順番に係止機構とみなされる。その結果、本発明に係る安全装置は２つの協働係止機構を有するものとみなされる。
【０００６】
本発明に係る安全注射針装置は同一の型から形成される。その結果、ハウジング、ベース、係止機構の部分、並びにフックは単一ユニットとして一体的に形成される。ベースの基端がシリンジや患者から液体を抽出したり患者に薬剤を注入したりする他の薬剤容器に適合する一方で、ベースの先端には注射針が嵌め合わせられる。本発明に係る安全装置のベースに取り付けられる注射針は異なる径を有する。注射針の径を示すにあたって、安全装置のハウジングおよびベースは、所定の注射針の径に対応する予め決められた所定の色に色分けされる。
【０００７】
本発明は注射針アセンブリに関する。注射針アセンブリは、縦軸に沿って注射針を突き出すベースと、ベースに対して旋回自在で、後壁で接続される２つの側壁を有するハウジングと、後壁から突き出て、ベースから突き出る係止機構の他部に連結される係止機構すなわちロック機構の一部とを備え、係止機構の部分同士が相互に連結されると、ハウジングおよびベースは相互に固く保持され、注射針はハウジングで覆われる。
【０００８】
本発明はまた単一片の注射針アセンブリすなわち安全装置に関する。安全装置は、シリンジとともに利用され、前述されるように、係止機構の各部がベースおよびハウジングに形成される。
【０００９】
添付の図面とともに本発明の以下の説明が参照されれば、本発明は明らかにされ、本発明自体は最もよく理解される。
【図面の簡単な説明】
【００１０】
【図１】自立して立つ本発明に係る安全装置の斜視図であり、ハウジングを断面で示す。
【図２】装置のハウジングおよびベースが相互に向かって移動する際の本発明に係る安全装置の図であり、ハウジングを断面で示す。
【図３】完全に移動した位置における装置を示し、係止機構のロッキングスナップが噛み合った状態を示す。
【図４】本発明に係る装置の他の斜視図である。
【図５】図４の安全装置の平面図である。
【図６】図４の安全装置の側面図である。
【図７】図５のＡ−Ａ線に沿った断面図である。
【図８】図５に示されるＡの詳細を示す拡大図である。
【発明を実施するための形態】
【００１１】
図面を参照すると、本発明に係る安全装置は、ベース２と、リビングヒンジ６を介してベース２に旋回自在に連結されるハウジング４とを備える注射針アセンブリに関する。注射針８はベース２の先端部１０に取り付けられる。注射針８は、金型成型によりベース２の先端１２に一体化されてもよく、安全装置が金型から取り外された後に先端１２に取り付けられてもよい。ベース２の基端部１４はキャビティを有するように設計される。キャビティは、図示されないシリンジや他の液体貯蔵装置に噛み合わせられる。ベース２にはルアーコネクタ１６が形成される。
【００１２】
ベース２の先端部１０には複数の突起１８ａ〜１８ｃが規定される。ハウジング４に面する位置でベース２の先端部１０から係止機構２０が突き出る。係止機構２０は、後述のように、全係止機構すなわち全ロック機構の一部を構成する。
【００１３】
ハウジング４はリビングヒンジ６を介してベース２に連結される。ハウジング４は、後壁２４で連結される２つの側壁２２を有する。ハウジング４には側壁２２でスロットすなわち通路２６が規定される。図２に示されるように、ハウジング４およびベース２が相互に旋回すると、注射針８は通路２６を通過する。
【００１４】
後壁２４から第２のロック機構すなわち係止機構２８が突き出る。係止機構２８は２つの把持突起３０を備える。把持突起３０同士の間には開口３２が形成される。図５および図７の断面図に最もよく示されるように、各把持突起３０はその先端３４において内側に折り曲げられる。把持突起３０で規定される空間は、図５および図８の拡大図に最もよく示されるように、装置のベース２に形成される係止機構２０を収容する大きさに形成される。
【００１５】
図８に示される本実施形態に係る係止機構２０は、ベース２の先端部１０に沿って縦方向に突き出る突起すなわち錨の形状を有する。錨２０は前面３５と矢形状の２つの突起３６とを有する。突起３６の前面３６ａは所定の角度で傾斜することから、係止機構２０が係止機構２８に出合うと、錨突起３６は、把持突起３０の傾斜する内側端と容易に協働して、これらの把持突起に容易に係合する。係止機構２０の背面３６ｂと、係止機構２８の内側折り曲げ指状端３４とは協働して、係止機構２０および係止機構２８の相互の離隔を規制する。その結果、ハウジング４およびベース２は確実に取り外し不能に結合される。こうして、図２および図３に最もよく開示されるように、ハウジング４およびベース２が相互に旋回すると、ベース２の係止機構２０はハウジング４の係止機構２８に出合う。その時、係止機構２０は係止機構２８にぱちんとはまり、図３に最もよく示されるように、両方の係止機構が相互に連結される。前述のように、係止機構２０および係止機構２８はそれぞれ、本発明に係る安全装置の全係止機構すなわち全連結機構の一部とみなされる。
【００１６】
各側面２２はその基端部に拡張部３８を有する。これらの拡張部３８は、ハウジング４の後面２４から突き出る係止機構２８を保護する。ハウジング４がベース２に向かって旋回して注射針８を覆う際、係止機構２８が係止機構２０に連結されると、ハウジング４の拡張部３８は、連結された係止機構への接触を規制する。その結果、ベース２からハウジング４の取り外しの試みは妨げられる。
【００１７】
ハウジング４にはフック機構４０が一体化される。ハウジング４がベース２に向かって旋回して注射針８を覆うと、フック機構４０は注射針８をつかむ。注射針８が、フック４０の先端を通過してぱちんとはまり、フック機構４０の先端の裏側で保持されると、フック機構４０は注射針８を不動に保持する。
【００１８】
図２に最もよく開示されるように、フック機構４０および係止機構２８の配置、並びにハウジング４の後面２４から突き出る前述の機構の突き出しに加えて、ハウジング４およびベース２がお互いに向かって相互に旋回する際、注射針８および係止機構２０がフック機構４０および係止機構２８と実質的に同時に接触するように構成されている。その結果、注射針８およびベース２は実質的に同時に固定される。ハウジング４の背面で注射針およびベースが連結されれば、注射針８はハウジング４で確実に覆われ、再び外側に露出しない。
【００１９】
ハウジング４の後壁２４およびベース２から係止機構２８およびフック機構４０が突き出て、かつ、係止機構２０がベース２の先端部１０に沿って縦方向に延びるように設計されることから、ハウジング４およびベース２の結合がフック機構４０による注射針８の把持並びに係止機構２０、２８間の結合によって実現されるので、ハウジング４およびベース２の結合は一層確実に実現される。こうして、ハウジング４の後壁２４から２つの係止点、すなわち、係止機構２０、２８の連結とフック機構４０による注射針８の把持とが実現されることから、ハウジング４はベース２に一層確実に保持され、その結果、注射針８は確実に覆われる。しかも、連結した係止機構２０、２８への接触が規制されることから、注射針８はフック４０からはずれることはない。
【００２０】
ベース２およびハウジング４、並びに係止機構２０、２８およびフック機構４０は、同じ型から一体化された単一ユニットとして形成される。これらは例えば射出成形に基づき形成されればよい。
【００２１】
使用に先立って、注射針８は、ベース２の先端部１０に嵌め合わせられる図示されない鞘で覆われる。さらに、本発明に係る安全装置は、異なる径を有する多くの他の注射針に合わせて成型される。本発明の注射針アセンブリでは、ベース２に装着される注射針８の径に応じて、安全装置は、予め決められた色に色分けされる。その結果、鞘で覆われる注射針８を見なくても、使用者は注射針８の径を容易に確認することができる。こうして、本発明に係る安全装置の成型された単一片ユニットは、ベース２に取り付けられる特定の注射針８の径を示す予め決められた色に色分けされる。装置の本体に対する注射針の色分けの慣例に関する詳細な説明は、２００４年１月７日に出願日を有する出願番号１０／７５１９８２の出願で提供される。出願番号１０／７５１９８２の出願の開示は参照文献としてここに組み込まれる。
【００２２】
安全装置のベース２に形成される係止機構の代替実施例は図９および図１０に示される。図９に示される装置と図１〜図８に示される装置とは錨すなわち突起２０’の形状に違いがある。図１０に拡大されて詳細が示されるように、図８に示される係止機構２０の傾斜する側面３６ａと対照的に、係止機構２０’は湾曲する前面２０’ｆを有する。さらに、突起２０’の背面２０’ｂは内側に向かって角度を有しない。各指状突起３０の先端の形状は、突起２０’の先端が指状突起３０の間に移動してその先端３４を通過すると、その先端３４が各背面２０’ｂに不動に把持されるように調整される。前述の実施例と同様に、係止機構２８および２０’は、フック機構４０が、ベース２の先端１０から突き出る図示されない注射針に接触すると実質的に同時に接触する。
【００２３】
図１１〜図１５に示される安全装置の係止機構は、前述に図示される係止機構と異なる。特に、ハウジング４の後壁２４から突き出る係止機構は、図１７に拡大されて詳細に最もよく示されるように、フック４２の形状を有する。フック４２は突起４２ａと先端４２ｂとを備える。安全装置のベース２の先端部１０でリブ４４の形状を有するラッチがフック４２と協働する。リブ４４は、ベース２の先端部１０の全長に沿って実質的に縦方向に延びる。リブ４４には開口４６が形成される。ハウジング４およびベース２が相互に向かって移動すると、フック４２の先端４２ｂは開口４６に係り合う。図１９に完全に移動した位置で最もよく示されるように、フック４２がリブ４４に連結されると、安全装置のハウジング４およびベース２は相互に不動に保持される。図１２に示されるように、フック４２の先端４２ｂは、リブ４４の開口４６から延びる結果、リブ４４に固く係り合う。図１２はまた、フック４０でつかまれる注射針８を示す。こうして、二重フック安全装置は、図１１〜図１５に示される安全装置の実施例で実現される。
【００２４】
図１４は、ハウジング４の平面図であり、ハウジング４がベース２から離れる方向に旋回した後を示す。この図では、フック４０、４２は明確に図示される。安全装置の側面図を示す図１５では、同様に、リブ４４およびその開口４６が明確に図示される。図１６にはラッチリブの拡大詳細図が示される。図１８は、図１３の安全装置のＡ−Ａ線に沿った断面図を示す。前述のように、ハウジング４に形成される係止機構とベース２とが完全に連結される完全に移動した安全装置は図１９に示される。
【図１】
0005520255.tif 000002
【図２】
0005520255.tif 000003
【図３】
0005520255.tif 000004
【図４】
0005520255.tif 000005
【図５】
0005520255.tif 000006
【図６】
0005520255.tif 000007
【図７】
0005520255.tif 000008
【図８】
0005520255.tif 000009